(57)【要約】【課題】複数の看護問題シートを１画面に表示し、看護計画を適切に編集、統合可能とする。【解決手段】情報を表示するための表示手段１１と、看護計画項目を含む看護問題シートを前記表示手段に表示する第１の表示制御手段２１と、前記看護計画項目の重複を検出する検出手段４０と、前記検出手段４０により重複した看護計画項目を検出した場合、重複した看護計画項目を前記第１の表示制御手段２１による表示態様と異なる表示態様により表示する第２の表示制御手段２２とを具備する。【選択図】図１
2015153178.tif 000002
【特許請求の範囲】
【請求項１】
情報を表示するための表示手段と、
看護計画項目を含む看護問題シートを前記表示手段に表示する第１の表示制御手段と、
前記看護計画項目の重複を検出する検出手段と、
前記検出手段が重複した看護計画項目を検出した場合、重複した看護計画項目を前記第１の表示制御手段による表示態様と異なる表示態様により表示する第２の表示制御手段と
を具備する看護計画支援システム。
【請求項２】
検出手段は、同一の看護問題シート内及び異なる複数の看護問題シート内の看護計画項目の重複を検出する請求項１に記載の看護計画支援システム。
【請求項３】
ポインティングデバイスのポインタが重複した看護計画項目と重なり合ったとき、重複した看護計画項目が含まれる看護問題シート内の所定情報をポップアップウインドウに表示する第３の表示制御手段を備える請求項１または２に記載の看護計画支援システム。
【請求項４】
ポップアップウインドウに表示された所定情報が指示されると、所定情報に対応する看護計画項目を含む看護問題シートを移動して表示する第４の表示制御手段を備える請求項３に記載の看護計画支援システム。
【請求項５】
同一の看護計画項目の一括選択と一括解除の入力を行う入力機能部を前記表示手段に表示させる第５の表示制御手段を備える請求項１乃至４のいずれか１項に記載の看護計画支援システム。
【請求項６】
情報を表示するための表示手段とコンピュータとを有し、コンピュータによって看護計画を前記表示手段に表示し、所要の入力により看護計画を編集する看護計画支援システムの前記コンピュータを、
看護計画項目を含む看護問題シートを前記表示手段に表示する第１の表示制御手段、
前記看護計画項目の重複を検出する検出手段、
前記検出手段が重複した看護計画項目を検出した場合、重複した看護計画項目を前記第１の表示制御手段による表示態様と異なる表示態様により表示する第２の表示制御手段
として機能させる看護計画支援システム用プログラム。
【請求項７】
検出手段は、同一の看護問題シート内及び異なる複数の看護問題シート内の看護計画項目の重複を検出する請求項６に記載の看護計画支援システム用プログラム。
【請求項８】
コンピュータを、
ポインティングデバイスのポインタが重複した看護計画項目と重なり合ったとき、重複した看護計画項目が含まれる看護問題シート内の所定情報をポップアップウインドウに表示する第３の表示制御手段として機能させる請求項６または７に記載の看護計画支援システム用プログラム。
【請求項９】
コンピュータを、
ポップアップウインドウに表示された所定情報が指示されると、所定情報に対応する看護計画項目を含む看護問題シートを移動して表示する第４の表示制御手段として機能させる請求項８に記載の看護計画支援システム用プログラム。
【請求項１０】
コンピュータを、
同一の看護計画項目の一括選択と一括解除の入力を行う入力機能部を前記表示手段に表示させる第５の表示制御手段として機能させる請求項６乃至９のいずれか１項に記載の看護計画支援システム用プログラム。
【発明の詳細な説明】
【技術分野】
【０００１】
本発明は、看護計画支援システム及びそのプログラムに関するものである。
【背景技術】
【０００２】
特許文献１は、患者に対して作成された看護問題の項目を基に、看護問題に含まれるべき複数種類の項目のそれぞれに予め対応付けた看護計画の項目が含まれる看護情報データベースを検索することによって、看護計画の作成を支援するシステムを開示している。
【０００３】
特許文献１に記載の看護計画支援システムは、看護問題のシートは１画面に１シート表示されるだけであった。このため、複数の看護問題シートを作成して看護計画の立案にあたる場合には、複数を並べて比較することができなかった。従って、無駄のない計画を作成するために複数の看護問題シートを１画面に表示するシステムが求められている。
【先行技術文献】
【特許文献】
【０００４】
【特許文献１】特開２００６−１３３９０９号公報
【発明の概要】
【発明が解決しようとする課題】
【０００５】
更に、複数の看護問題シートを１画面に表示するシステムにあって、看護計画を適切に編集し、統合が可能な看護計画支援システムが求められている。
【０００６】
本発明は、上記のような要望に応えんとしてなされたもので、その目的は、複数の看護問題シートを１画面に表示し、看護計画を適切に編集し、統合することが可能な看護計画支援システムを提供することを目的とする。また、上記の看護計画支援システムに用いられる看護計画支援システム用プログラムを提供することを他の目的とする。
【課題を解決するための手段】
【０００７】
本発明に係る看護計画支援システムは、情報を表示するための表示手段と、看護計画項目を含む看護問題シートを前記表示手段に表示する第１の表示制御手段と、前記看護計画項目の重複を検出する検出手段と、前記検出手段が重複した看護計画項目を検出した場合、重複した看護計画項目を前記第１の表示制御手段による表示態様と異なる表示態様により表示する第２の表示制御手段とを具備する。
【０００８】
本発明に係る看護計画支援システムは、検出手段が、同一の看護問題シート内及び異なる複数の看護問題シート内の看護計画項目の重複を検出する。
【０００９】
本発明に係る看護計画支援システムは、ポインティングデバイスのポインタが重複した看護計画項目と重なり合ったとき、重複した看護計画項目が含まれる看護問題シート内の所定情報をポップアップウインドウに表示する第３の表示制御手段を備える。
【００１０】
本発明に係る看護計画支援システムは、ポップアップウインドウに表示された所定情報が指示されると、所定情報に対応する看護問題シートを移動して表示する第４の表示制御手段を備える。
【００１１】
本発明に係る看護計画支援システムは、同一の看護計画項目の一括選択と一括解除の入力を行う入力機能部を前記表示手段に表示させる第５の表示制御手段を備える。
【００１２】
本発明に係る看護計画支援システム用プログラムは情報を表示するための表示手段とコンピュータとを有し、コンピュータによって看護計画を前記表示手段に表示し、所要の入力により看護計画を編集する看護計画支援システムの前記コンピュータを、看護計画項目を含む看護問題シートを前記表示手段に表示する第１の表示制御手段、前記看護計画項目の重複を検出する検出手段、前記検出手段が重複した看護計画項目を検出した場合、重複した看護計画項目を前記第１の表示制御手段による表示態様と異なる表示態様により表示する第２の表示制御手段として機能させる。
【００１３】
本発明に係る看護計画支援システム用プログラムは、検出手段が、同一の看護問題シート内及び異なる複数の看護問題シート内の看護計画項目の重複を検出する。
【００１４】
本発明に係る看護計画支援システム用プログラムは、コンピュータを、ポインティングデバイスのポインタが重複した看護計画項目と重なり合ったとき、重複した看護計画項目が含まれる看護問題シート内の所定情報をポップアップウインドウに表示する第３の表示制御手段として機能させる。
【００１５】
本発明に係る看護計画支援システム用プログラムは、コンピュータを、ポップアップウインドウに表示された所定情報が指示されると、所定情報に対応する看護問題シートを移動して表示する第４の表示制御手段として機能させる。
【００１６】
本発明に係る看護計画支援システム用プログラムは、コンピュータを、同一の看護計画項目の一括選択と一括解除の入力を行う入力機能部を前記表示手段に表示させる第５の表示制御手段として機能させる。
【発明の効果】
【００１７】
本発明によれば、看護問題シートに重複した看護計画項目が存在する場合、他とは態様の異なる看護計画項目が表示されることになり、重複を容易に点検することができ、看護計画を適切に編集し、統合することが可能である。
【図面の簡単な説明】
【００１８】
【図１】本発明に係る看護計画支援システムに係る実施形態の構成図。
【図２】本発明に係る看護計画支援システムに係る実施形態で表示される看護記録シートの表示例を示す図。
【図３】本発明に係る看護計画支援システムに係る実施形態で表示される看護計画立案画面の表示例を示す図。
【図４】本発明に係る看護計画支援システムに係る実施形態で表示される看護計画立案画面の要部の表示例を示す図。
【図５】本発明に係る看護計画支援システムに係る実施形態で表示される看護計画立案画面の第一の表示例を示す図。
【図６】本発明に係る看護計画支援システムに係る実施形態で表示される看護計画立案画面の第二の表示例を示す図。
【図７】本発明に係る看護計画支援システムに係る実施形態で、仮登録の看護問題のシートの移動を説明するための看護計画立案画面の表示例を示す図。
【図８】本発明に係る看護計画支援システムに係る実施形態で、登録された看護問題のシートの移動を説明するための看護計画立案画面の表示例を示す図。
【図９】本発明に係る看護計画支援システムに係る実施形態で表示されるポップアップウインドウの内容の一例を示す図。
【図１０】本発明に係る看護計画支援システムに係る実施形態の個別確認処理時に行われる重複する看護計画項目の存在検出のための動作を示すフローチャート。
【図１１】本発明に係る看護計画支援システムに係る実施形態の看護計画確定時に行われる重複する看護計画項目の存在検出のための動作を示すフローチャート。
【発明を実施するための形態】
【００１９】
以下添付図面を参照して、本発明に係る看護計画支援システム及びそのプログラムの実施形態を説明する。各図において同一の構成要素には、同一の符号を付して重複する説明を省略する。図１には、実施形態に係る看護計画支援システムの構成図が示されている。看護計画支援システムは、パーソナルコンピュータ、サーバ、パーソナルディジタルアシスタントなどのコンピュータによって構成することができる。
【００２０】
看護計画支援システムは、ＣＰＵとメインメモリなどにより構成される中央制御装置１０に、情報を表示するためのＬＣＤやＬＥＤなどの表示手段１１、キーボードなどの入力手段１２、マウスなどのＰＤ（ポインティングデバイス）１３、プログラムや各種のデータを記憶した外部記憶手段１４が接続された構成を採用している。
【００２１】
看護計画支援システムは、例えば、図２に示すような看護記録画面の看護記録情報シートを作成して管理することができる。図２の例では、看護記録情報シートの１行目に、左側から、氏名、年齢、患者ＩＤ、診療科名、部屋番号、ベッド番号等の患者を特定する情報が入力される。その下の左側には、いくつかの看護問題名称に対応していくつかの看護計画項目が設定され、この看護計画項目に対して、目標や経過を入力可能な欄Ａが設定され表示手段１１の画面に表示されるように構成されている。欄Ａは、例えばＰＤ１３を操作して上下にスクロール可能であり、所要の看護問題名称に対応する看護計画項目や欄を表示させることができる。
【００２２】
また、看護問題名称が表示される領域の右側には、看護・診療履歴を記入する欄Ｂが設定されており、例えば年月日に対応させて看護内容・診療内容を入力し表示させることができる。この欄Ｂも、例えばＰＤ１３を操作して上下にスクロール可能とすることができる。図２の例の看護記録情報シートの情報は、患者ＩＤに対応させて外部記憶手段１４に記憶させておくことができ、必要に応じて読み出し表示させることができる。
【００２３】
看護計画支援システムは、例えば、図３に示す看護計画立案画面を表示させることができる。看護計画立案画面には、看護問題選択欄Ｃ、看護問題編集欄Ｄ、看護計画選択欄Ｅが設定されている。看護問題選択欄Ｃには、問題リストがツリー状に表示される。この問題リストの表示情報は予め外部記憶手段１４に記憶させておくことができる。各看護問題には、チェックボックスが対応付けられている。四角枠形状のチェックボックスにＰＤ１３のポインタを対応付けてクリック操作を行うことにより、当該看護問題の選択と非選択を切換えることができる。チェックボックスが空白であればマウスのクリック操作で当該看護問題の選択を行うことができ、また、チェックボックスにマークが表示されているときにはマウスのクリック操作により当該看護問題の非選択（選択解除）を行うことができる。なお、上記チェックボックスの形状は一例に過ぎず、四角枠に限定されず、また、枠内にチェックを表示するスタイルに限定されない。即ち、選択／非選択の設定が分る表示がされればよい。
【００２４】
看護問題編集欄Ｄには、看護問題選択欄Ｃで選択された看護問題の名称とシート番号Ｎ１，Ｎ２、・・・が表示される。シート番号は、看護計画の管理番号となる。また、看護問題編集欄Ｄおよび看護計画選択欄Ｅに表示された看護問題シートの内容の登録／仮登録によって、上記看護問題編集欄Ｄの看護問題の名称とシート番号の表示色が変更される。
【００２５】
看護計画選択欄Ｅには、看護問題選択欄Ｃで選択された看護問題の内容に対応する計画内容が、一つの看護問題毎に看護問題シートに表示される。看護計画選択欄Ｅには、複数の看護問題シートを表示することができ、スクロールボタンＳの操作により表示されていない看護問題シートを表示することができる。
【００２６】
看護計画選択欄Ｅの最上欄には、シート番号Ｎ１，Ｎ２、・・・と共に看護問題名称が表示される。図３は、看護問題名称として、「皮膚統合性障害／リスク状態」、「低体温」、「身体損傷リスク状態」が表示され、「非効果的気道浄化」については半分程度が非表示状態となっている。看護計画選択欄Ｅの最上欄の次欄には、看護問題の項目を絞り込むための欄が表示される。看護問題の項目に対応して四角枠形状のチェックボックスが表示されており、チェックボックスにマークして看護問題の項目を絞り込むことが可能である。本実施形態では、絞込み対象の項目として、「定義」、「診断指標」、「関連因子」、「危険因子」、「観察」、「処置」が一例として示されている。ここで例えば、「診断指標」という１項目に絞り込むことにより、画面の横方向に複数の看護問題シートを横断して「診断指標」とそれに属する看護計画項目が表示される。よって、複数の看護問題シートの「診断指標」に関する比較検討を行い易く、看護計画を編集し統合する場合に便利である。
【００２７】
更に、看護計画選択欄Ｅの第３番目の欄には、上記項目毎にそれぞれ属する看護計画項目がチェックボックスを伴って表示される。必要なシート番号の看護問題シートの必要な看護計画項目を、チェックボックスを用いて選択することが可能である。以上のような図３に示す画面を表示するための情報は外部記憶手段１４に予め記憶しておくことができる。
【００２８】
看護計画画面の看護計画情報シートを作成する場合には、例えば、まず、図２に示すような看護記録情報シートを外部記憶手段１４から呼び出し、氏名、年齢、患者ＩＤ、診療科名、部屋番号、ベッド番号等の患者を特定する情報を入力し、次に看護計画を作成するために、図３に示す看護計画立案画面を呼び出し、表示させる。
【００２９】
図３に示す看護計画立案画面が表示されると、看護問題選択欄Ｃの所望する看護問題のチェックボックスを操作して選択を行う。これによって、看護計画選択欄Ｅに対応する看護問題シートが表示される。図３は、看護問題選択欄Ｃの「皮膚統合性障害／リスク状態」、「低体温」、「身体損傷リスク状態」及び「非効果的気道浄化」が選択された場合の表示画面を示している。看護計画選択欄Ｅには、「皮膚統合性障害／リスク状態」、「低体温」、「身体損傷リスク状態」及び「非効果的気道浄化」の看護問題シートが表示される。
【００３０】
各看護問題シートの所望の区分名称を選択し、看護計画情報シートに設定する看護計画項目を選択する。この実施形態では、図３のチェックボックスにチェックし選択する。
【００３１】
以上の様々な表示制御を行うために、図１に示す中央制御装置１０は、表示制御手段２０、情報管理手段３０と検出手段４０を備えている。情報管理手段３０は、図２の看護記録情報シートの情報と図３の看護問題シートの情報とを対応付け、外部記憶手段１４に記憶し、また必要なときに読み出すなどの情報管理を行うものである。表示制御手段２０は、第１の表示制御手段２１、第２の表示制御手段２２、第３の表示制御手段２３、第４の表示制御手段２４、第５の表示制御手段２５、第６の表示制御手段２６を備えている。
【００３２】
第１の表示制御手段２１は、看護計画項目を含む看護問題シートを表示手段１１に表示するものである。看護項目にはチェックボックスが対応付けられて表示される。また、第６の表示制御手段２６は、上記チェックボックスに対する入力に応じてマーク表示制御を行うものである。
【００３３】
更に、検出手段４０は、看護問題シートに表示された看護計画項目の重複を検出する。この検出手段４０による動作は、設定により有効・無効を切換えることができる。第２の表示制御手段２２は、検出手段４０が重複した看護計画項目を検出した場合、重複した看護計画項目を前記第１の表示制御手段２１による表示態様と異なる表示態様により表示する。表示態様は、視覚的に識別できればよく、背景色の変更、文字の色や太さや大きさ、フォントや形状の変更、ブリンク表示等、他の表示と区別できるものを含む。
【００３４】
以上の通りに構成される結果、図３に示されるように重複する看護計画項目の背景色が変更されて表示される。図３では、文字が小さく表示されているので、図４に要部の具体的な表示例を示す。
【００３５】
図４では、看護問題１、２に項目「観察」が設定されており、この「観察」に看護計画項目「術前皮膚状態」、「ドレッシング材」、「浮腫の有無」が属している場合を示す。図４（ａ）は、看護問題１、２のいずれでも「術前皮膚状態」、「浮腫の有無」に対応するチェックボックスにて選択表示され、「ドレッシング材」は対応するチェックボックスにて非選択となり、空白のまま表示されたものである。このような選択／非選択により、看護問題１、２では、選択された看護計画項目「術前皮膚状態」「浮腫の有無」が看護計画項目の重複に相当し、これらが検出手段４０により検出される。この検出に応じて第２の表示制御手段２２によって看護計画項目「術前皮膚状態」「浮腫の有無」の背景色が変更され表示される。
【００３６】
図４（ｂ）は、上記の看護計画項目「術前皮膚状態」、「ドレッシング材」、「浮腫の有無」中、看護問題１の「術前皮膚状態」と「浮腫の有無」が選択され、看護問題２の「浮腫の有無」が選択された場合の表示例である。看護問題１、２のいずれでも「ドレッシング材」が選択されていないことを示す。
【００３７】
上記の場合、看護問題１、２では、看護計画項目の「術前皮膚状態」及び「浮腫の有無」が重複する看護計画項目となっている。この結果、看護問題２の看護計画項目「術前皮膚状態」は選択されていないが、第２の表示制御手段２２によって看護計画項目の「術前皮膚状態」及び「浮腫の有無」の背景色が変更されて表示される(図４（ｂ）)。
【００３８】
本実施形態では、検出手段４０は、同一の看護問題シート内及び異なる複数の看護問題シート内の看護計画項目の重複を検出する。上記図４の例は、看護問題１の看護問題シート内と看護問題２の看護問題シート内の看護計画項目の重複を検出した。これとは異なり本実施形態では、看護計画項目の重複の検出を同一の看護問題シート内で行う。図６の「Ｎ２低体温」のシートでは、看護計画項目の「浮腫の有無」が二つ存在する。この場合には、看護計画項目の重複の検出を同一の看護問題シート内で行うので、看護計画項目の「浮腫の有無」について重複有りとなる。すると、第２の表示制御手段２２によって該当の看護計画項目「浮腫の有無」の背景色が変更されて表示される。
【００３９】
本実施形態では、ポインティングデバイスのポインタを重複した看護計画項目に重ね合わせると、第３の表示制御手段２３が、重複した看護計画項目が含まれる看護問題シート内の所定情報をポップアップウインドウに表示する。例えば図５に示されるように、「Ｎ１皮膚統合性障害／リスク状態」のシート、「Ｎ２身体損傷リスク状態」のシート、「Ｎ３低体温」のシート、「Ｎ４非効果的気道浄化」のシートが存在する場合について説明する。なお、ポップアップウインドウとは、必要に応じて元の情報のウインドウとは別に表示されるウインドウを指し、ポップアップウインドウを表示するための手段は問わない。クリックする、オンマウスするだけで良いものなどすべてを含むものとする。
【００４０】
上記では重複する看護計画項目「術前皮膚状態」が「Ｎ１皮膚統合性障害／リスク状態」のシート、「Ｎ２身体損傷リスク状態」のシート、「Ｎ３低体温」のシートに存在している。ここで、ＰＤ１３である例えばマウスのポインタが「Ｎ２身体損傷リスク状態」のシートの重複した看護計画項目である「術前皮膚状態」に重ね合わされた（オンマウスとなった）場合、重複する看護計画項目が含まれる看護問題シートの名称「Ｎ１皮膚統合性障害／リスク状態」、「Ｎ３低体温」が記載されたポップアップウインドウＰ１が図５の如く表示される。
【００４１】
また、本実施形態では、同一の看護問題シート内で看護問題項目の重複を検出可能である。例えば図６に示されるシートが存在する場合、ＰＤ１３である例えばマウスのポインタが「Ｎ２低体温」のシートの重複した看護計画項目である「術前皮膚状態」に重ね合わされた（オンマウスとなった）場合には、重複する看護計画項目が当該「Ｎ２低体温」のシート内に存在するか否かを検出する。この結果、当該「Ｎ２低体温」のシートの名称「Ｎ２低体温」が、ポップアップウインドウＰ２に表示される。上記図５及び図６により説明した本実施形態では、看護問題シートの名称をポップアップウインドウに表示するようにしたが、表示内容としては看護問題シート内の所定情報であれば良い。例えば、看護計画区分を表示しても良い。看護問題シートの名称を看護計画区分と共に表示しても良い。
【００４２】
本実施形態では、ポップアップウインドウで表示された所定情報をマウスによりクリックして指示すると、第４の表示制御手段２４は、所定情報に対応する看護計画項目を含む看護問題シートを移動して表示する。前述の通り所定情報は、看護問題シートの名称や看護計画区分などである。本実施形態では、看護問題シートの登録／仮登録によって移動の形態が異なる。まず、仮登録の看護問題シートが移動する場合を説明する。例えば、図７（ａ）の看護問題編集欄には、４つの看護問題の名称が選択されている。シート番号Ｎ１の看護問題シートは登録済のため第１の色で表示され、シート番号Ｎ２〜Ｎ４の看護問題は仮登録であるため第２の色で表示されている。当初、上記４つの看護問題シートは、「Ｎ１皮膚統合性障害／リスク状態」、「Ｎ２低体温」、「Ｎ３身体損傷リスク状態」、「Ｎ４非効果的気道浄化」の順で看護計画選択欄に左から右へ表示されている。ここでは、看護計画項目「体温」が、看護問題シート「Ｎ１皮膚統合性障害／リスク状態」、「Ｎ４非効果的気道浄化」で重複している。
【００４３】
上記の画面が表示されているときに、名称「Ｎ１皮膚統合性障害／リスク状態」の看護問題シートの重複した看護計画項目である「体温」上にマウスのポインタが重ね合わされた（オンマウスとなった）場合、Ｐ３が表示される。このポップアップウインドウＰ３には、「Ｎ１皮膚統合性障害／リスク状態」、「Ｎ４非効果的気道浄化」が表示される。ここで、所定情報である「Ｎ４非効果的気道浄化」がマウスによりクリックされると、看護計画選択欄内で「体温」に対応する看護計画項目を含む看護問題シートが移動して表示される。この例では、図７（ｂ）に示すように、当初は「Ｎ２低体温」の看護問題シートが表示されていた左から２番目のエリアに、「非効果的気道浄化」の看護問題シートが移動し、シート番号がＮ２に変更され表示される。また、図７（ａ）の「Ｎ２低体温」、「Ｎ３身体損傷リスク状態」の看護問題シートは、それぞれ１欄だけ右シフトされると共にシート番号がそれぞれＮ３、Ｎ４へと変更され表示される。このような処理が行われるので、シート番号が変更され、重複した看護計画項目を含む看護問題のシートが隠れた位置から目視できる画面内に現れ、重複した看護計画項目のチェックを１画面において行うことができる。
【００４４】
次に、登録後の看護問題シートが移動する場合を説明する。例えば、図８（ａ）の看護問題編集欄には、４つの看護問題の名称が選択されている。シート番号Ｎ１〜Ｎ４の看護問題は、登録済であるためシート番号が固定され同一の色で表示されている。当初、上記４つの看護問題シートは、「Ｎ１皮膚統合性障害／リスク状態」、「Ｎ２低体温」、「Ｎ３身体損傷リスク状態」、「Ｎ４非効果的気道浄化」の順で看護計画選択欄に左から右へ表示されている。ここでも、看護計画項目「体温」が、看護問題シート「Ｎ１皮膚統合性障害／リスク状態」、「Ｎ４非効果的気道浄化」で重複している。
【００４５】
上記の画面が表示されているときに、名称「Ｎ１皮膚統合性障害／リスク状態」の看護問題シートの重複した看護計画項目である「体温」上にマウスのポインタが重ね合わされた（オンマウスとなった）場合、Ｐ３が表示される。このポップアップウインドウＰ３には、「Ｎ１皮膚統合性障害／リスク状態」、「Ｎ４非効果的気道浄化」が表示される。ここで、所定情報である「Ｎ４非効果的気道浄化」がマウスによりクリックされると、看護計画選択欄内で「体温」に対応する看護計画項目を含む看護問題シートが移動して表示される。この例では、図８（ｂ）に示すように「Ｎ４非効果的気道浄化」の看護問題シートは，「Ｎ１」と「Ｎ２」の看護問題シートの間に移動して表示される。このとき看護問題は登録済であるため、各看護問題シートの番号は変更しない。このような処理が行われるので、登録済の看護問題シートはシート番号の変更が行われず、ユーザがより優先順位が高いと考えて登録した看護問題シートのシート番号は固定されたまま不変となる。よって、ユーザが意図しないシート番号の変更を防ぐことができる。また、重複した看護計画項目を含む看護問題のシートが隠れた位置から目視できる画面内に現れ、重複した看護計画項目のチェックを１画面において行うことができる。
【００４６】
上記の表示態様の変更表示や、ポップアップウインドウによる重複する看護計画項目の存在の警告に応じて、所望の看護計画項目に対応するチェックボックスのマークを解除するなど個別確認処理により看護計画を適切に編集し、統合することが可能である。更に、本実施形態では、第５の表示制御手段２５が、重複する看護計画項目に対応するチェックボックスのマークについて一括選択と一括解除の入力を行う入力機能部を表示手段１１に表示させる。この第５の表示制御手段２５は、上記の個別確認処理が終了して、看護計画確定処理を行う際に起動するように構成できる。
【００４７】
例えば、図３などに示す看護計画立案画面で、個別確認処理により重複する看護計画項目についての確認、解除などを行った場合に、図示しない看護計画確定の処理ボタンを操作することが可能である。この看護計画確定の処理ボタンが操作されたことに応じて第５の表示制御手段２５は、一括選択と一括解除の入力を行う入力機能部（処理ボタン）を備える図９に示すポップアップウインドウ（ダイアログ）を表示手段１１に表示させる。
【００４８】
この段階で各看護問題シートに重複する看護計画項目が存在している場合、図９のポップアップウインドウには、重複する看護計画項目が表示されると共に、入力機能部である処理ボタンが表示される。この図９では、看護計画項目としては、「低体温」、「機械的因子」、「アレルギーの有無」が表示され、処理ボタンとしては、「すべて選択」、「すべて解除」、「そのまま確定」、「計画画面に戻る」が表示されるように構成されている。
【００４９】
上記の図９のポップアップウインドウが表示されたときに処理ボタン「すべて選択」の操作を行うと、各看護問題シートに存在している重複する看護計画項目のすべてが選択される。更に、選択された重複する看護計画項目が、情報管理手段３０によって、図２に示すような看護記録画面の看護記録情報シートの欄Ａに反映される。
【００５０】
上記の図９のポップアップウインドウが表示されたときに処理ボタン「すべて解除」の操作を行うと、各看護問題シートに存在している重複する看護計画項目についての選択がすべて解除される。更に、選択が解除された重複する看護計画項目の情報は、情報管理手段３０によって、図２に示すような看護記録画面の看護記録情報シートの欄Ａに反映される。
【００５１】
更に、上記の図９のポップアップウインドウが表示されたときに処理ボタン「そのまま確定」の操作を行うと、看護問題シートに重複する看護計画項目が存在している場合も、看護問題シートに重複する看護計画項目が存在していない場合も、看護計画項目の選択／非選択がそのままに、情報管理手段３０によって、図２に示すような看護記録画面の看護記録情報シートの欄Ａに反映される。
【００５２】
また、上記の図９のポップアップウインドウが表示されたときに処理ボタン「計画画面に戻る」の操作を行うと、図３などに示す看護計画立案画面が表示される。これによって、前述の通り、表示態様の変更表示や、ポップアップウインドウによる重複する看護計画項目の存在の警告に応じて、所望の看護計画項目に対応するチェックボックスのマークを解除するなど個別確認処理を行うことが可能となる。
【００５３】
上記の実施形態では、表示制御手段２０（第１〜第６の表示制御手段２１〜２６を含む）、情報管理手段３０、検出手段４０は、中央制御装置１０のＣＰＵがプログラムにより実現する機能である。これら、表示制御手段２０、情報管理手段３０、検出手段４０によって行われる重複する看護計画項目の個別確認処理と、看護計画確定による看護計画項目の確認処理とを、フローチャートを用いて説明する。
【００５４】
図１０は、個別確認処理のフローチャートである。例えば図３に示す看護計画立案画面を呼び出し、看護問題設定し、看護問題に属する看護計画項目の設定（選択、解除）を行う（Ｓ１１）。次に、看護問題シートについて、重複する看護計画項目が存在するか否かを検出する（Ｓ１２：検出手段４０）。このステップＳ１２では、重複する看護計画項目が存在しないことが検出されると、看護計画確定の操作がされたか否かを検出し（Ｓ１３）、ステップＳ１１へ戻って処理がされる。
【００５５】
ステップＳ１２では、看護計画項目の重複を検出すると、重複する看護計画項目を異なる表示態様により表示し（Ｓ１４：第２の表示制御手段２２）、ステップＳ１３へ進んで処理を継続する。また、ステップＳ１３では、看護計画確定の操作がされたことが検出されると、次の図１１により示される看護計画確定による看護計画項目の確認処理へ進む。
【００５６】
看護計画確定による看護計画項目の確認処理は、図示しない看護計画確定の処理ボタンを操作するなどにより、図１１に示すようなフローチャートに対応するプログラムが機能し実行される。まず、看護計画確定の処理ボタンを操作するなどの処理が行われたとき、重複する看護計画項目の存在の有無が検出される（Ｓ２１）。ステップＳ２１の検出による結果の判定が行われる（Ｓ２２）。ここで重複する看護計画項目が存在しない場合、看護計画が確定し、情報管理手段３０によって、図２に示す看護記録画面の看護記録情報シートの欄Ａに反映され看護計画の確定処理が行われて（Ｓ２３）エンドとなる。
【００５７】
ステップＳ２２では、重複する看護計画項目が存在することが検出されると、例えば図９に示すように入力機能部（処理ボタン）を含む保存確認のポップアップウインドウの表示を行い（Ｓ２４）、「計画画面に戻る」または「そのまま確定」のいずれの入力機能部（処理ボタン）の操作がされたかが検出される（Ｓ２５）。
【００５８】
上記ステップＳ２５では、処理ボタン「計画画面に戻る」の操作がされると、図３などに示す看護計画立案画面が表示され、図１０に示す個別確認処理へ進む（Ｓ２６）。上記ステップＳ２５では、処理ボタン「そのまま確定」の操作がされると、看護問題シートに重複する看護計画項目が存在している場合も、看護問題シートに重複する看護計画項目が存在していない場合も、看護計画項目の選択／非選択がそのままに確定され（Ｓ２７）、情報管理手段３０によって、図２に示すような看護記録画面の看護記録情報シートの欄Ａに反映される（Ｓ２３）。
【００５９】
上記ステップＳ２５では、処理ボタン「すべて選択」または処理ボタン「すべて解除」の操作がされると、上記処理ボタンの操作であるかが検出される（Ｓ２８）。ステップＳ２８では、処理ボタン「すべて選択」の操作がされたことが検出されると、選択の確認が例えば、「同一の看護計画項目のすべて選択がされます」などの文言と共に「ＯＫ」と「ＯＮ」の選択処理ボタンによる操作を促す確認表示（Ｓ２９）がされる。この後に「ＯＫ」が操作されると、各看護問題シートに存在している重複する看護計画項目のすべてが選択される（Ｓ３０）。更に、選択された重複する看護計画項目が、情報管理手段３０によって、図２に示すような看護記録画面の看護記録情報シートの欄Ａに反映される（Ｓ２３）。上記で「ＯＮ」の選択処理ボタンによる操作がされると、ステップＳ２４へ戻るものとすることができる。
【００６０】
ステップＳ２８では、処理ボタン「すべて解除」の操作がされたことを検出すると、解除の確認が例えば、「同一の看護計画項目のすべて解除がされます」の文言と共に「ＯＫ」と「ＯＮ」の選択処理ボタンによる操作を促す確認表示（Ｓ３１）がされる。この後に「ＯＫ」が操作されると、各看護問題シートに存在している重複する看護計画項目についての選択がすべて解除される（Ｓ３２）。更に、選択が解除された重複する看護計画項目が情報管理手段３０によって、図２に示すような看護記録画面の看護記録情報シートの欄Ａに反映される（Ｓ２３）。上記で「ＯＮ」の選択処理ボタンによる操作がされると、ステップＳ２４へ戻るものとすることができる。このようにして、看護計画を適切に編集し、統合することが可能である。
【符号の説明】
【００６１】
１０    中央制御装置
１１    表示手段
１２    入力手段
１４    外部記憶手段
２０    表示制御手段
２１    第１の表示制御手段
２２    第２の表示制御手段
２３    第３の表示制御手段
２４    第４の表示制御手段
２５    第５の表示制御手段
２６    第６の表示制御手段
３０    情報管理手段
４０    検出手段
【図１】
2015153178.tif 000003
【図２】
2015153178.tif 000004
【図３】
2015153178.tif 000005
【図４】
2015153178.tif 000006
【図５】
2015153178.tif 000007
【図６】
2015153178.tif 000008
【図７】
2015153178.tif 000009
【図８】
2015153178.tif 000010
【図９】
2015153178.tif 000011
【図１０】
2015153178.tif 000012
【図１１】
2015153178.tif 000013